【手続補正書】
【提出日】令和2年1月23日(2020.1.23)
【手続補正１】
【補正対象書類名】特許請求の範囲
【補正対象項目名】全文
【補正方法】変更
【補正の内容】
【特許請求の範囲】
【請求項１】
閉鎖環境内の複数のユーザがメディアを共有することを可能にするための方法であって、
第１のユーザ機器から、閉鎖環境のネットワーク上に確立されたグループに参加するための第１の要求を受信することであって、前記グループは、複数のユーザ機器を前記閉鎖環境内に備える、ことと、
前記第１の要求の受信に応答して、表示のために、前記複数のユーザ機器の各ユーザ機器上に記憶されるメディアに対応する複数のメディアアセット識別子を生成することと、
前記第１のユーザ機器から、前記複数のメディアアセット識別子のメディアアセット識別子に対応するメディアアセットを視聴するための第２の要求を受信することであって、前記メディアアセットは、第２のユーザ機器に記憶されている、ことと、
前記メディアアセットが前記第１のユーザ機器に利用可能であるかどうかを判定することと、
前記メディアアセットが前記第１のユーザ機器に利用可能であるかどうかの判定に応答して、前記メディアアセットを前記第２のユーザ機器から前記第１のユーザ機器の記憶装置に転送させることであって、前記メディアアセットは、前記転送に続いて前記第１のユーザ機器において再生される、ことと、
前記メディアアセットが前記第１のユーザ機器における再生を完了したことを判定することと、
前記メディアアセットが前記第１のユーザ機器における再生を完了したことの判定に応答して、前記メディアアセットを前記第１のユーザ機器から前記第２のユーザ機器に転送させることと
を含む、方法。
【請求項２】
前記グループは、
前記第１のユーザ機器において、前記インターネットがアクセス可能ではないことを検出することと、
前記第１のユーザ機器において、ネットワークホットスポットを確立することと、
前記ネットワークホットスポットの可用性を前記第１のユーザ機器のブロードキャスト範囲内のデバイスにブロードキャストすることと、
前記第２のユーザ機器から、前記ネットワークホットスポットにアクセスし、前記第２のユーザ機器上に記憶されるメディアアセットを前記ネットワークホットスポットにアクセスする他のユーザ機器と共有するための要求を受信することと、
前記ネットワークホットスポットへのアクセスを前記第２のユーザ機器に与えることと
によって確立される、請求項１に記載の方法。
【請求項３】
前記第１のユーザ機器のユーザのユーザプロファイルにアクセスすることと、
前記ユーザプロファイルのデータに基づいて、前記ユーザの選好を判定することと、
前記複数のメディアアセット識別子の各メディアアセット識別子に対応する各メディアアセットと関連付けられたメタデータと前記選好とを比較することと、
前記比較に基づいて、前記複数のメディアアセット識別子をランク付けすることと、
表示のために、前記ランク付けに基づいて、前記複数のメディアアセット識別子を生成することと
をさらに含む、請求項１に記載の方法。
【請求項４】
前記メディアアセットが前記第１のユーザ機器に利用可能であるかどうかを判定することは、
前記メディアアセットが現在前記第２のユーザ機器に記憶されているかどうかを判定することと、
前記メディアアセットが現在前記第２のユーザ機器に記憶されていることの判定に応答して、前記メディアアセットが現在前記第２のユーザ機器において再生されているかどうかを判定することと、
前記メディアアセットが現在前記第２のユーザ機器において再生されていないことの判定に応答して、前記メディアアセットが前記第１のユーザ機器に利用可能であることを判定することと
を含む、請求項１に記載の方法。
【請求項５】
前記第２のユーザ機器のユーザまたは前記第３のユーザ機器のユーザが、前記第１のユーザ機器のユーザが前記メディアアセットを完全に再生することを可能にするよりも以前の時間に、前記メディアアセットを再生のために予約しているかどうかを判定することと、
前記第２の機器のユーザまたは前記第３のユーザ機器のユーザのいずれも、前記第１のユーザ機器のユーザが前記メディアアセットを完全に再生することを可能にするよりも以前の時間に、前記メディアアセットを再生のために予約していないことの判定に応答して、前記メディアアセットが前記第１のユーザ機器に利用可能であることを判定することと
をさらに含む、請求項４に記載の方法。
【請求項６】
前記第１のユーザ機器の記憶装置が前記メディアアセットを記憶するために十分な容量を有していないことを判定することと、
前記第２のユーザ機器が前記第１のユーザ機器の記憶装置内に記憶される異なるメディアアセットを記憶するための容量を有するかどうかを判定することと、
前記第２のユーザ機器が前記異なるメディアアセットを記憶するための容量を有することの判定に応答して、前記メディアアセットが前記第２のユーザ機器から前記第１のユーザ機器の記憶装置に転送されることに先立って、前記異なるメディアアセットを前記第１のユーザ機器から前記第２のユーザ機器に転送させることと
をさらに含む、請求項１に記載の方法。
【請求項７】
前記メディアアセットを前記第１のユーザ機器から前記第２のユーザ機器に転送させることは、
前記第１のユーザ機器と前記第２のユーザ機器との間の接続が断絶されていることを判定することと、
前記インターネットにアクセスする能力を監視することと、
前記インターネットにアクセスする能力の検出に応答して、前記インターネットにアクセスし、前記インターネットを経由して、前記メディアアセットを前記第１のユーザ機器から前記第２のユーザ機器に伝送することと
を含む、請求項１に記載の方法。
【請求項８】
前記メディアアセットが前記第１のユーザ機器に利用可能ではないことを判定することと、
前記メディアアセットが前記第１のユーザ機器に利用可能ではないことの判定に応答して、前記メディアアセットが前記第１のユーザ機器に利用可能になるであろう時間を判定することと、
表示のために、前記時間において前記第１のユーザ機器のための前記メディアアセットへのアクセスを予約するためのオプションを生成することと
をさらに含む、請求項１に記載の方法。
【請求項９】
前記メディアアセットが前記第１のユーザ機器に利用可能になるであろう時間を判定することは、
前記メディアアセットが前記第２のユーザ機器によって再生されていることを判定することと、
前記第２のユーザ機器による再生が完了するであろうまでの残っている時間量を判定することと、
前記時間量を現在の時間に加算し、終結時間を計算することと、
前記時間を前記終結時間であると判定することと
を含む、請求項８に記載の方法。
【請求項１０】
閉鎖環境内の複数のユーザがメディアを共有することを可能にするためのシステムであって、前記システムは、
請求項１〜９のいずれかに記載の方法のステップを実行するための手段
を備える、システム。
【手続補正２】
【補正対象書類名】明細書
【補正対象項目名】００１９
【補正方法】変更
【補正の内容】
【００１９】
いくつかの実施形態では、制御回路は、第１のユーザ機器から、第２のユーザ機器に記憶されているメディアアセットを視聴するための要求を受信し、第１のユーザ機器および第２のユーザ機器は、閉鎖環境内で接続するグループの一員であって、インターネットは、アクセス可能ではなく、メディアアセットを第２のユーザ機器から第１のユーザ機器の記憶装置に転送させ、メディアアセットが第１のユーザ機器における再生を完了したことを判定し、メディアアセットが第１のユーザ機器における再生を完了したことの判定に応答して、メディアアセットを第１のユーザ機器から第２のユーザ機器に転送させてもよい。
本発明は、例えば、以下を提供する。
（項目１）
閉鎖環境内の複数のユーザがメディアを共有することを可能にするための方法であって、
第１のユーザ機器から、閉鎖環境のネットワーク上に確立されたグループに参加するための第１の要求を受信するステップであって、前記グループは、複数のユーザ機器を前記閉鎖環境内に備える、ステップと、
前記第１の要求の受信に応答して、表示のために、前記複数のユーザ機器の各ユーザ機器上に記憶されるメディアに対応する複数のメディアアセット識別子を生成するステップと、
前記第１のユーザ機器から、前記複数のメディアアセット識別子のメディアアセット識別子に対応するメディアアセットを視聴するための第２の要求を受信するステップであって、前記メディアアセットは、第２のユーザ機器に記憶されている、ステップと、
前記メディアアセットが前記第１のユーザ機器に利用可能であるかどうかを判定するステップと、
前記メディアアセットが前記第１のユーザ機器に利用可能であるかどうかの判定に応答して、前記メディアアセットを前記第２のユーザ機器から前記第１のユーザ機器の記憶装置に転送させるステップであって、前記メディアアセットは、前記転送に続いて前記第１のユーザ機器において再生される、ステップと、
前記メディアアセットが前記第１のユーザ機器における再生を完了したことを判定するステップと、
前記メディアアセットが前記第１のユーザ機器における再生を完了したことの判定に応答して、前記メディアアセットを前記第１のユーザ機器から前記第２のユーザ機器に転送させるステップと、
を含む、方法。
（項目２）
前記グループは、
前記第１のユーザ機器において、前記インターネットがアクセス可能ではないことを検出するステップと、
前記第１のユーザ機器において、ネットワークホットスポットを確立するステップと、
前記ネットワークホットスポットの可用性を前記第１のユーザ機器のブロードキャスト範囲内のデバイスにブロードキャストするステップと、
前記第２のユーザ機器から、前記ネットワークホットスポットにアクセスし、前記第２のユーザ機器上に記憶されるメディアアセットを前記ネットワークホットスポットにアクセスする他のユーザ機器と共有するための要求を受信するステップと、
前記ネットワークホットスポットへのアクセスを前記第２のユーザ機器に与えるステップと、
によって確立される、項目１に記載の方法。
（項目３）
前記第１のユーザ機器のユーザのユーザプロファイルにアクセスするステップと、
前記ユーザプロファイルのデータに基づいて、前記ユーザの選好を判定するステップと、
前記複数のメディアアセット識別子の各メディアアセット識別子に対応する各メディアアセットと関連付けられたメタデータと前記選好とを比較するステップと、
前記比較に基づいて、前記複数のメディアアセット識別子をランク付けするステップと、
表示のために、前記ランク付けに基づいて、前記複数のメディアアセット識別子を生成するステップと、
をさらに含む、項目１に記載の方法。
（項目４）
前記メディアアセットが前記第１のユーザ機器に利用可能であるかどうかを判定するステップは、
前記メディアアセットが現在前記第２のユーザ機器に記憶されているかどうかを判定するステップと、
前記メディアアセットが現在前記第２のユーザ機器に記憶されていることの判定に応答して、前記メディアアセットが現在前記第２のユーザ機器において再生されているかどうかを判定するステップと、
前記メディアアセットが現在前記第２のユーザ機器において再生されていないことの判定に応答して、前記メディアアセットが前記第１のユーザ機器に利用可能であることを判定するステップと、
を含む、項目１に記載の方法。
（項目５）
前記第２のユーザ機器のユーザまたは前記第３のユーザ機器のユーザが、前記第１のユーザ機器のユーザが前記メディアアセットを完全に再生することを可能にするよりも以前の時間に、前記メディアアセットを再生のために予約しているかどうかを判定するステップと、
前記第２の機器のユーザまたは前記第３のユーザ機器のユーザのいずれも、前記第１のユーザ機器のユーザが前記メディアアセットを完全に再生することを可能にするよりも以前の時間に、前記メディアアセットを再生のために予約していないことの判定に応答して、前記メディアアセットが前記第１のユーザ機器に利用可能であることを判定するステップと、
をさらに含む、項目４に記載の方法。
（項目６）
前記第１のユーザ機器の記憶装置が前記メディアアセットを記憶するために十分な容量を有していないことを判定するステップと、
前記第２のユーザ機器が前記第１のユーザ機器の記憶装置内に記憶される異なるメディアアセットを記憶するための容量を有するかどうかを判定するステップと、
前記第２のユーザ機器が前記異なるメディアアセットを記憶するための容量を有することの判定に応答して、前記メディアアセットが前記第２のユーザ機器から前記第１のユーザ機器の記憶装置に転送されることに先立って、前記異なるメディアアセットを前記第１のユーザ機器から前記第２のユーザ機器に転送させるステップと、
をさらに含む、項目１に記載の方法。
（項目７）
前記メディアアセットを前記第１のユーザ機器から前記第２のユーザ機器に転送させるステップは、
前記第１のユーザ機器と前記第２のユーザ機器との間の接続が断絶されていることを判定するステップと、
前記インターネットにアクセスする能力を監視するステップと、
前記インターネットにアクセスする能力の検出に応答して、前記インターネットにアクセスし、前記インターネットを経由して、前記メディアアセットを前記第１のユーザ機器から前記第２のユーザ機器に伝送するステップと、
を含む、項目１に記載の方法。
（項目８）
前記メディアアセットが前記第１のユーザ機器に利用可能ではないことを判定するステップと、
前記メディアアセットが前記第１のユーザ機器に利用可能ではないことの判定に応答して、前記メディアアセットが前記第１のユーザ機器に利用可能になるであろう時間を判定するステップと、
表示のために、前記時間において前記第１のユーザ機器のための前記メディアアセットへのアクセスを予約するためのオプションを生成するステップと、
をさらに含む、項目１に記載の方法。
（項目９）
前記メディアアセットが前記第１のユーザ機器に利用可能になるであろう時間を判定するステップは、
前記メディアアセットが前記第２のユーザ機器によって再生されていることを判定するステップと、
前記第２のユーザ機器による再生が完了するであろうまでの残っている時間量を判定するステップと、
前記時間量を現在の時間に加算し、終結時間を計算するステップと、
前記時間を終結時間であると判定するステップと、
を含む、項目８に記載の方法。
（項目１０）
前記第２の要求の受信に応答して、前記第２のユーザ機器のユーザが前記メディアアセットにアクセスするためのアクセス権を前記第１のユーザ機器のユーザに付与したかどうかを判定するステップと、
前記第２のユーザ機器のユーザがアクセス権を前記第１のユーザ機器のユーザに付与したことの判定に応答して、前記メディアアセットにアクセスするためのアクセスを前記第１のユーザ機器に与えるステップと、
をさらに含む、項目１に記載の方法。
（項目１１）
閉鎖環境内の複数のユーザがメディアを共有することを可能にするためのシステムであって、
通信回路と、
制御回路であって、
前記通信回路を使用して、第１のユーザ機器から、閉鎖環境のネットワーク上に確立されたグループに参加するための第１の要求を受信することであって、前記グループは、複数のユーザ機器を前記閉鎖環境内に備える、ことと、
前記第１の要求の受信に応答して、表示のために、前記複数のユーザ機器の各ユーザ機器上に記憶されるメディアに対応する複数のメディアアセット識別子を生成することと、
前記通信回路を使用して、前記第１のユーザ機器から、前記複数のメディアアセット識別子のメディアアセット識別子に対応するメディアアセットを視聴するための第２の要求を受信することであって、前記メディアアセットは、第２のユーザ機器に記憶される、ことと、
前記メディアアセットが前記第１のユーザ機器に利用可能であるかどうかを判定することと、
前記メディアアセットが前記第１のユーザ機器に利用可能であるかどうかの判定に応答して、前記メディアアセットを前記第２のユーザ機器から前記第１のユーザ機器の記憶装置に転送させることであって、前記メディアアセットは、前記転送に続いて前記第１のユーザ機器において再生される、ことと、
前記メディアアセットが前記第１のユーザ機器における再生を完了したことを判定することと、
前記メディアアセットが前記第１のユーザ機器における再生を完了したことの判定に応答して、前記メディアアセットを前記第１のユーザ機器から前記第２のユーザ機器に転送させることと
を行うように構成される、制御回路と、
を備える、システム。
（項目１２）
前記制御回路は、
前記第１のユーザ機器において、前記インターネットがアクセス可能ではないことを検出することと、
前記第１のユーザ機器において、ネットワークホットスポットを確立することと、
前記ネットワークホットスポットの可用性を前記第１のユーザ機器のブロードキャスト範囲内のデバイスにブロードキャストすることと、
前記第２のユーザ機器から、前記ネットワークホットスポットにアクセスし、前記第２のユーザ機器上に記憶されるメディアアセットを前記ネットワークホットスポットにアクセスする他のユーザ機器と共有するための要求を受信することと、
前記ネットワークホットスポットへのアクセスを前記第２のユーザ機器に与えることと、
によって、前記グループを確立するように構成される、項目１１に記載のシステム。
（項目１３）
前記制御回路はさらに、
前記第１のユーザ機器のユーザのユーザプロファイルにアクセスすることと、
前記ユーザプロファイルのデータに基づいて、前記ユーザの選好を判定することと、
前記複数のメディアアセット識別子の各メディアアセット識別子に対応する各メディアアセットと関連付けられたメタデータと前記選好とを比較することと、
前記比較に基づいて、前記複数のメディアアセット識別子をランク付けすることと、
表示のために、前記ランク付けに基づいて、前記複数のメディアアセット識別子を生成することと、
を行うように構成される、項目１１に記載のシステム。
（項目１４）
前記制御回路はさらに、前記メディアアセットが前記第１のユーザ機器に利用可能であるかどうかを判定するとき、
前記メディアアセットが現在前記第２のユーザ機器に記憶されているかどうかを判定することと、
前記メディアアセットが現在前記第２のユーザ機器に記憶されていることの判定に応答して、前記メディアアセットが現在前記第２のユーザ機器において再生されているかどうかを判定することと、
前記メディアアセットが現在前記第２のユーザ機器において再生されていないことの判定に応答して、前記メディアアセットが前記第１のユーザ機器に利用可能であることを判定することと
を行うように構成される、項目１１に記載のシステム。
（項目１５）
前記制御回路はさらに、
前記第２のユーザ機器のユーザまたは前記第３のユーザ機器のユーザが、前記第１のユーザ機器のユーザが前記メディアアセットを完全に再生することを可能にするよりも以前の時間に、前記メディアアセットを再生のために予約しているかどうかを判定することと、
前記第２の機器のユーザまたは前記第３のユーザ機器のユーザのいずれも、前記第１のユーザ機器のユーザが前記メディアアセットを完全に再生することを可能にするよりも以前の時間に、前記メディアアセットを再生のために予約していないことの判定に応答して、前記メディアアセットが前記第１のユーザ機器に利用可能であることを判定することと
を行うように構成される、項目１４に記載のシステム。
（項目１６）
前記制御回路はさらに、
前記第１のユーザ機器の記憶装置が前記メディアアセットを記憶するために十分な容量を有していないことを判定することと、
前記第２のユーザ機器が前記第１のユーザ機器の記憶装置内に記憶される異なるメディアアセットを記憶するための容量を有するかどうかを判定することと、
前記第２のユーザ機器が前記異なるメディアアセットを記憶するための容量を有することの判定に応答して、前記メディアアセットが前記第２のユーザ機器から前記第１のユーザ機器の記憶装置に転送されることに先立って、前記異なるメディアアセットを前記第１のユーザ機器から前記第２のユーザ機器に転送させることと
を行うように構成される、項目１１に記載のシステム。
（項目１７）
前記制御回路はさらに、前記メディアアセットを前記第１のユーザ機器から前記第２のユーザ機器に転送させるとき、
前記第１のユーザ機器と前記第２のユーザ機器との間の接続が断絶されていることを判定することと、
前記インターネットにアクセスする能力を監視することと、
前記インターネットにアクセスする能力の検出に応答して、前記インターネットにアクセスし、前記インターネットを経由して、前記メディアアセットを前記第１のユーザ機器から前記第２のユーザ機器に伝送することと
を行うように構成される、項目１１に記載のシステム。
（項目１８）
前記制御回路はさらに、
前記メディアアセットが前記第１のユーザ機器に利用可能ではないことを判定することと、
前記メディアアセットが前記第１のユーザ機器に利用可能ではないことの判定に応答して、前記メディアアセットが前記第１のユーザ機器に利用可能になるであろう時間を判定することと、
表示のために、前記時間において前記第１のユーザ機器のための前記メディアアセットへのアクセスを予約するためのオプションを生成することと
を行うように構成される、項目１１に記載のシステム。
（項目１９）
前記制御回路はさらに、前記メディアアセットが前記第１のユーザ機器に利用可能になるであろう時間を判定するとき、
前記メディアアセットが前記第２のユーザ機器によって再生されていることを判定することと、
前記第２のユーザ機器による再生が完了するであろうまでの残っている時間量を判定することと、
前記時間量を現在の時間に加算し、終結時間を計算することと、
前記時間を終結時間であると判定することと
を行うように構成される、項目１８に記載のシステム。
（項目２０）
前記制御回路はさらに、
前記第２の要求の受信に応答して、前記第２のユーザ機器のユーザが前記メディアアセットにアクセスするためのアクセス権を前記第１のユーザ機器のユーザに付与したかどうかを判定することと、
前記第２のユーザ機器のユーザがアクセス権を前記第１のユーザ機器のユーザに付与したことの判定に応答して、前記メディアアセットにアクセスするためのアクセスを前記第１のユーザ機器に付与することと
を行うように構成される、項目１１に記載のシステム。
（項目２１）
閉鎖環境内の複数のユーザがメディアを共有することを可能にするためのシステムであって、
第１のユーザ機器から、閉鎖環境のネットワーク上に確立されたグループに参加するための第１の要求を受信するための手段であって、前記グループは、複数のユーザ機器を前記閉鎖環境内に備える、手段と、
前記第１の要求の受信に応答して、表示のために、前記複数のユーザ機器の各ユーザ機器上に記憶されるメディアに対応する複数のメディアアセット識別子を生成するための手段と、
前記第１のユーザ機器から、前記複数のメディアアセット識別子のメディアアセット識別子に対応するメディアアセットを視聴するための第２の要求を受信するための手段であって、前記メディアアセットは、第２のユーザ機器に記憶されている、手段と、
前記メディアアセットが前記第１のユーザ機器に利用可能であるかどうかを判定するための手段と、
前記メディアアセットが前記第１のユーザ機器に利用可能であるかどうかの判定に応答して、前記メディアアセットを前記第２のユーザ機器から前記第１のユーザ機器の記憶装置に転送させるための手段であって、前記メディアアセットは、前記転送に続いて前記第１のユーザ機器において再生される、手段と、
前記メディアアセットが前記第１のユーザ機器における再生を完了したことを判定するための手段と、
前記メディアアセットが前記第１のユーザ機器における再生を完了したことの判定に応答して、前記メディアアセットを前記第１のユーザ機器から前記第２のユーザ機器に転送させるための手段と、
を備える、システム。
（項目２２）
前記システムはさらに、
前記第１のユーザ機器において、前記インターネットがアクセス可能ではないことを検出するための手段と、
前記第１のユーザ機器において、ネットワークホットスポットを確立するための手段と、
前記ネットワークホットスポットの可用性を前記第１のユーザ機器のブロードキャスト範囲内のデバイスにブロードキャストするための手段と、
前記第２のユーザ機器から、前記ネットワークホットスポットにアクセスし、前記第２のユーザ機器上に記憶されるメディアアセットを前記ネットワークホットスポットにアクセスする他のユーザ機器と共有するための要求を受信するための手段と、
前記ネットワークホットスポットへのアクセスを前記第２のユーザ機器に与えるための手段と、
を使用して、前記グループを確立するための手段を備える、項目２１に記載のシステム。
（項目２３）
前記第１のユーザ機器のユーザのユーザプロファイルにアクセスするための手段と、
前記ユーザプロファイルのデータに基づいて、前記ユーザの選好を判定するための手段と、
前記複数のメディアアセット識別子の各メディアアセット識別子に対応する各メディアアセットと関連付けられたメタデータと前記選好とを比較するための手段と、
前記比較に基づいて、前記複数のメディアアセット識別子をランク付けするための手段と、
表示のために、前記ランク付けに基づいて、前記複数のメディアアセット識別子を生成するための手段と、
をさらに備える、項目２１に記載のシステム。
（項目２４）
前記メディアアセットが前記第１のユーザ機器に利用可能であるかどうかを判定するための手段は、
前記メディアアセットが現在前記第２のユーザ機器に記憶されているかどうかを判定するための手段と、
前記メディアアセットが現在前記第２のユーザ機器に記憶されていることの判定に応答して、前記メディアアセットが現在前記第２のユーザ機器において再生されているかどうかを判定するための手段と、
前記メディアアセットが現在前記第２のユーザ機器において再生されていないことの判定に応答して、前記メディアアセットが前記第１のユーザ機器に利用可能であることを判定するための手段と、
を含む、項目２１に記載のシステム。
（項目２５）
前記第２のユーザ機器のユーザまたは前記第３のユーザ機器のユーザが、前記第１のユーザ機器のユーザが前記メディアアセットを完全に再生することを可能にするよりも以前の時間に、前記メディアアセットを再生のために予約しているかどうかを判定するための手段と、
前記第２のユーザ機器のユーザまたは前記第３のユーザ機器のユーザのいずれも、前記第１のユーザ機器のユーザが前記メディアアセットを完全に再生することを可能にするよりも以前の時間に、前記メディアアセットを再生のために予約していないことの判定に応答して、前記メディアアセットが前記第１のユーザ機器に利用可能であることを判定するための手段と、
をさらに備える、項目２４に記載のシステム。
（項目２６）
前記第１のユーザ機器の記憶装置が前記メディアアセットを記憶するために十分な容量を有していないことを判定するための手段と、
前記第２のユーザ機器が前記第１のユーザ機器の記憶装置内に記憶される異なるメディアアセットを記憶するための容量を有するかどうかを判定するための手段と、
前記第２のユーザ機器が前記異なるメディアアセットを記憶するための容量を有することの判定に応答して、前記メディアアセットが前記第２のユーザ機器から前記第１のユーザ機器の記憶装置に転送されることに先立って、前記異なるメディアアセットを前記第１のユーザ機器から前記第２のユーザ機器に転送させるための手段と、
をさらに備える、項目２１に記載のシステム。
（項目２７）
前記メディアアセットを前記第１のユーザ機器から前記第２のユーザ機器に転送させるための手段は、
前記第１のユーザ機器と前記第２のユーザ機器との間の接続が断絶されていることを判定するための手段と、
前記インターネットにアクセスする能力を監視するための手段と、
前記インターネットにアクセスする能力の検出に応答して、前記インターネットにアクセスし、前記インターネットを経由して、前記メディアアセットを前記第１のユーザ機器から前記第２のユーザ機器に伝送するための手段と、
を含む、項目２１に記載のシステム。
（項目２８）
前記メディアアセットが前記第１のユーザ機器に利用可能ではないことを判定するための手段と、
前記メディアアセットが前記第１のユーザ機器に利用可能ではないことの判定に応答して、前記メディアアセットが前記第１のユーザ機器に利用可能になるであろう時間を判定するための手段と、
表示のために、前記時間において前記第１のユーザ機器のための前記メディアアセットへのアクセスを予約するためのオプションを生成するための手段と、
をさらに備える、項目２１に記載のシステム。
（項目２９）
前記メディアアセットが前記第１のユーザ機器に利用可能になるであろう時間を判定するための手段は、
前記メディアアセットが前記第２のユーザ機器によって再生されていることを判定するための手段と、
前記第２のユーザ機器による再生が完了するであろうまでの残っている時間量を判定するための手段と、
前記時間量を現在の時間に加算し、終結時間を計算するための手段と、
前記時間を終結時間であると判定するための手段と、
を備える、項目２８に記載のシステム。
（項目３０）
前記第２の要求の受信に応答して、前記第２のユーザ機器のユーザが前記メディアアセットにアクセスするためのアクセス権を前記第１のユーザ機器のユーザに付与したかどうかを判定するための手段と、
前記第２のユーザ機器のユーザがアクセス権を前記第１のユーザ機器のユーザに付与したことの判定に応答して、前記メディアアセットにアクセスするためのアクセスを前記第１のユーザ機器に与えるための手段と、
をさらに備える、項目２１に記載のシステム。
（項目３１）
閉鎖環境内の複数のユーザがメディアを共有することを可能にするためのその上に符号化された命令を伴うメモリを備える、非一過性機械可読媒体であって、
第１のユーザ機器から、閉鎖環境のネットワーク上に確立されたグループに参加するための第１の要求を受信するための命令であって、前記グループは、複数のユーザ機器を前記閉鎖環境内に備える、命令と、
前記第１の要求の受信に応答して、表示のために、前記複数のユーザ機器の各ユーザ機器上に記憶されるメディアに対応する複数のメディアアセット識別子を生成するための命令と、
前記第１のユーザ機器から、前記複数のメディアアセット識別子のメディアアセット識別子に対応するメディアアセットを視聴するための第２の要求を受信するための命令であって、前記メディアアセットは、第２のユーザ機器に記憶されている、命令と、
前記メディアアセットが前記第１のユーザ機器に利用可能であるかどうかを判定するための命令と、
前記メディアアセットが前記第１のユーザ機器に利用可能であるかどうかの判定に応答して、前記メディアアセットを前記第２のユーザ機器から前記第１のユーザ機器の記憶装置に転送させるための命令であって、前記メディアアセットは、前記転送に続いて前記第１のユーザ機器において再生される、命令と、
前記メディアアセットが前記第１のユーザ機器における再生を完了したことを判定するための命令と、
前記メディアアセットが前記第１のユーザ機器における再生を完了したことの判定に応答して、前記メディアアセットを前記第１のユーザ機器から前記第２のユーザ機器に転送させるための命令と、
を備える、非一過性機械可読媒体。
（項目３２）
前記命令はさらに、
前記第１のユーザ機器において、前記インターネットがアクセス可能ではないことを検出することと、
前記第１のユーザ機器において、ネットワークホットスポットを確立することと、
前記ネットワークホットスポットの可用性を前記第１のユーザ機器のブロードキャスト範囲内のデバイスにブロードキャストすることと、
前記第２のユーザ機器から、前記ネットワークホットスポットにアクセスし、前記第２のユーザ機器上に記憶されるメディアアセットを前記ネットワークホットスポットにアクセスする他のユーザ機器と共有するための要求を受信することと、
前記ネットワークホットスポットへのアクセスを前記第２のユーザ機器に与えることと、
によって、前記グループを確立するための命令を備える、項目３１に記載の非一過性機械可読媒体。
（項目３３）
前記命令はさらに、
前記第１のユーザ機器のユーザのユーザプロファイルにアクセスするための命令と、
前記ユーザプロファイルのデータに基づいて、前記ユーザの選好を判定するための命令と、
前記複数のメディアアセット識別子の各メディアアセット識別子に対応する各メディアアセットと関連付けられたメタデータと前記選好とを比較するための命令と、
前記比較に基づいて、前記複数のメディアアセット識別子をランク付けするための命令と、
表示のために、前記ランク付けに基づいて、前記複数のメディアアセット識別子を生成するための命令と、
を備える、項目３１に記載の非一過性機械可読媒体。
（項目３４）
前記メディアアセットが前記第１のユーザ機器に利用可能であるかどうかを判定するための命令は、
前記メディアアセットが現在前記第２のユーザ機器に記憶されているかどうかを判定するための命令と、
前記メディアアセットが現在前記第２のユーザ機器に記憶されていることの判定に応答して、前記メディアアセットが現在前記第２のユーザ機器において再生されているかどうかを判定するための命令と、
前記メディアアセットが現在前記第２のユーザ機器において再生されていないことの判定に応答して、前記メディアアセットが前記第１のユーザ機器に利用可能であることを判定するための命令と、
を含む、項目３１に記載の非一過性機械可読媒体。
（項目３５）
前記命令はさらに、
前記第２のユーザ機器のユーザまたは前記第３のユーザ機器のユーザが、前記第１のユーザ機器のユーザが前記メディアアセットを完全に再生することを可能にするよりも以前の時間に、前記メディアアセットを再生のために予約しているかどうかを判定するための命令と、
前記第２の機器のユーザまたは前記第３のユーザ機器のユーザのいずれも、前記第１のユーザ機器のユーザが前記メディアアセットを完全に再生することを可能にするよりも以前の時間に、前記メディアアセットを再生のために予約していないことの判定に応答して、前記メディアアセットが前記第１のユーザ機器に利用可能であることを判定するための命令と、
を備える、項目３４に記載の非一過性機械可読媒体。
（項目３６）
前記命令はさらに、
前記第１のユーザ機器の記憶装置が前記メディアアセットを記憶するために十分な容量を有していないことを判定するための命令と、
前記第２のユーザ機器が前記第１のユーザ機器の記憶装置内に記憶される異なるメディアアセットを記憶するための容量を有するかどうかを判定するための命令と、
前記第２のユーザ機器が前記異なるメディアアセットを記憶するための容量を有することの判定に応答して、前記メディアアセットが前記第２のユーザ機器から前記第１のユーザ機器の記憶装置に転送されることに先立って、前記異なるメディアアセットを前記第１のユーザ機器から前記第２のユーザ機器に転送させるための命令と、
を備える、項目３１に記載の非一過性機械可読媒体。
（項目３７）
前記メディアアセットを前記第１のユーザ機器から前記第２のユーザ機器に転送させるための命令は、
前記第１のユーザ機器と前記第２のユーザ機器との間の接続が断絶されていることを判定するための命令と、
前記インターネットにアクセスする能力を監視するための命令と、
前記インターネットにアクセスする能力の検出に応答して、前記インターネットにアクセスし、前記インターネットを経由して、前記メディアアセットを前記第１のユーザ機器から前記第２のユーザ機器に伝送するための命令と、
を含む、項目３１に記載の非一過性機械可読媒体。
（項目３８）
前記命令はさらに、
前記メディアアセットが前記第１のユーザ機器に利用可能ではないことを判定するための命令と、
前記メディアアセットが前記第１のユーザ機器に利用可能ではないことの判定に応答して、前記メディアアセットが前記第１のユーザ機器に利用可能になるであろう時間を判定するための命令と、
表示のために、前記時間において前記第１のユーザ機器のための前記メディアアセットへのアクセスを予約するためのオプションを生成するための命令と、
を備える、項目３１に記載の非一過性機械可読媒体。
（項目３９）
前記メディアアセットが前記第１のユーザ機器に利用可能になるであろう時間を判定するための命令は、
前記メディアアセットが前記第２のユーザ機器によって再生されていることを判定するための命令と、
前記第２のユーザ機器による再生が完了するであろうまでの残っている時間量を判定するための命令と、
前記時間量を現在の時間に加算し、終結時間を計算するための命令と、
前記時間を終結時間であると判定するための命令と、
を備える、項目３８に記載の非一過性機械可読媒体。
（項目４０）
前記命令はさらに、
前記第２の要求の受信に応答して、前記第２のユーザ機器のユーザが前記メディアアセットにアクセスするためのアクセス権を前記第１のユーザ機器のユーザに付与したかどうかを判定するための命令と、
前記第２のユーザ機器のユーザがアクセス権を前記第１のユーザ機器のユーザに付与したことの判定に応答して、前記メディアアセットにアクセスするためのアクセスを前記第１のユーザ機器に付与するための命令と、
を備える、項目３１に記載の非一過性機械可読媒体。
（項目４１）
方法であって、
第１のユーザ機器から、第２のユーザ機器に記憶されているメディアアセットを視聴するための要求を受信するステップであって、前記第１のユーザ機器および前記第２のユーザ機器は、閉鎖環境内で接続するグループの一員である、ステップと、
前記メディアアセットを前記第２のユーザ機器から前記第１のユーザ機器の記憶装置に転送させるステップと、
前記メディアアセットが前記第１のユーザ機器における再生を完了したことを判定するステップと、
前記メディアアセットが前記第１のユーザ機器における再生を完了したことの判定に応答して、前記メディアアセットを前記第１のユーザ機器から前記第２のユーザ機器に転送させるステップと、
を含む、方法。
（項目４２）
前記グループは、
前記第１のユーザ機器において、前記インターネットがアクセス可能ではないことを検出するステップと、
前記第１のユーザ機器において、ネットワークホットスポットを確立するステップと、
前記ネットワークホットスポットの可用性を前記第１のユーザ機器のブロードキャスト範囲内のデバイスにブロードキャストするステップと、
前記第２のユーザ機器から、前記ネットワークホットスポットにアクセスし、前記第２のユーザ機器上に記憶されるメディアアセットを前記ネットワークホットスポットにアクセスする他のユーザ機器と共有するための要求を受信するステップと、
前記ネットワークホットスポットへのアクセスを前記第２のユーザ機器に与えるステップと、
によって確立される、項目４１に記載の方法。
（項目４３）
前記第１のユーザ機器のユーザのユーザプロファイルにアクセスするステップと、
前記ユーザプロファイルのデータに基づいて、前記ユーザの選好を判定するステップと、
前記第２のユーザ機器上に記憶される各メディアアセットと関連付けられたメタデータと前記選好とを比較するステップと、
前記比較に基づいて、前記第２のユーザ機器上に記憶される前記メディアアセットをランク付けするステップと、
表示のために、前記第１のユーザ機器において、前記ランク付けに基づいて、それぞれ前記第２のユーザ機器上に記憶されるメディアアセットに対応する、複数のメディアアセット識別子を生成するステップと、
をさらに含む、項目４１および４２のいずれかに記載の方法。
（項目４４）
前記メディアアセットを前記第２のユーザ機器から前記第１のユーザ機器の記憶装置に転送させることに先立って、前記メディアアセットが前記第１のユーザ機器に利用可能であるかどうかを判定するステップをさらに含み、前記メディアアセットが前記第１のユーザ機器に利用可能であるかどうかを判定するステップは、
前記メディアアセットが現在前記第２のユーザ機器に記憶されているかどうかを判定するステップと、
前記メディアアセットが現在前記第２のユーザ機器に記憶されていることの判定に応答して、前記メディアアセットが現在前記第２のユーザ機器において再生されているかどうかを判定するステップと、
前記メディアアセットが現在前記第２のユーザ機器において再生されていないことの判定に応答して、前記メディアアセットが前記第１のユーザ機器に利用可能であることを判定するステップと、
を含む、項目４１−４３のいずれかに記載の方法。
（項目４５）
前記第２のユーザ機器のユーザまたは前記第３のユーザ機器のユーザが、前記第１のユーザ機器のユーザが前記メディアアセットを完全に再生することを可能にするよりも以前の時間に、前記メディアアセットを再生のために予約しているかどうかを判定するステップと、
前記第２のユーザ機器のユーザまたは前記第３のユーザ機器のユーザのいずれも、前記第１のユーザ機器のユーザが前記メディアアセットを完全に再生することを可能にするよりも以前の時間に、前記メディアアセットを再生のために予約していないことの判定に応答して、前記メディアアセットが前記第１のユーザ機器に利用可能であることを判定するステップと、
をさらに含む、項目４４に記載の方法。
（項目４６）
前記第１のユーザ機器の記憶装置が前記メディアアセットを記憶するために十分な容量を有していないことを判定するステップと、
前記第２のユーザ機器が前記第１のユーザ機器の記憶装置内に記憶される異なるメディアアセットを記憶するための容量を有するかどうかを判定するステップと、
前記第２のユーザ機器が前記異なるメディアアセットを記憶するための容量を有することの判定に応答して、前記メディアアセットが前記第２のユーザ機器から前記第１のユーザ機器の記憶装置に転送されることに先立って、前記異なるメディアアセットを前記第１のユーザ機器から前記第２のユーザ機器に転送させるステップと、
をさらに含む、項目４１−４５のいずれかに記載の方法。
（項目４７）
前記メディアアセットを前記第１のユーザ機器から前記第２のユーザ機器に転送させるステップは、
前記第１のユーザ機器と前記第２のユーザ機器との間の接続が断絶されていることを判定するステップと、
前記インターネットにアクセスする能力を監視するステップと、
前記インターネットにアクセスする能力の検出に応答して、前記インターネットにアクセスし、前記インターネットを経由して、前記メディアアセットを前記第１のユーザ機器から前記第２のユーザ機器に伝送するステップと、
を含む、項目４１−４６のいずれかに記載の方法。
（項目４８）
前記メディアアセットが前記第１のユーザ機器に利用可能ではないことを判定するステップと、
前記メディアアセットが前記第１のユーザ機器に利用可能ではないことの判定に応答して、前記メディアアセットが前記第１のユーザ機器に利用可能になるであろう時間を判定するステップと、
表示のために、前記時間において前記第１のユーザ機器のための前記メディアアセットへのアクセスを予約するためのオプションを生成するステップと、
をさらに含む、項目４１−４７のいずれかに記載の方法。
（項目４９）
前記メディアアセットが前記第１のユーザ機器に利用可能になるであろう時間を判定するステップは、
前記メディアアセットが前記第２のユーザ機器によって再生されていることを判定するステップと、
前記第２のユーザ機器による再生が完了するであろうまでの残っている時間量を判定するステップと、
前記時間量を現在の時間に加算し、終結時間を計算するステップと、
前記時間を終結時間であると判定するステップと、
を含む、項目４８に記載の方法。
（項目５０）
前記要求の受信に応答して、前記第２のユーザ機器のユーザが前記メディアアセットにアクセスするためのアクセス権を前記第１のユーザ機器のユーザに付与したかどうかを判定するステップと、
前記第２のユーザ機器のユーザがアクセス権を前記第１のユーザ機器のユーザに付与したことの判定に応答して、前記メディアアセットにアクセスするためのアクセスを前記第１のユーザ機器に与えるステップと、
をさらに含む、項目４１−４９のいずれかに記載の方法。
（項目５１）
メディアコンテンツが１つまたはそれを上回る接続されたデバイスを有する閉鎖環境内で共有されることを可能にするための方法であって、
第１のデバイス上における表示のために、（１）前記第１のデバイス上に記憶される視聴のために利用可能な１つまたはそれを上回る第１のコンテンツと、（２）前記第１のデバイスに接続される１つまたはそれを上回る他のデバイス上に記憶される視聴のために利用可能な１つまたはそれを上回る第２のコンテンツとを生成するステップと、
前記第１のデバイスによって、前記１つまたはそれを上回る第２のコンテンツへのアクセスを要求するステップと、
前記第１のデバイスにおいて、前記要求される１つまたはそれを上回る第２のコンテンツへのアクセスを受信するステップと、
前記要求される１つまたはそれを上回る第２のコンテンツへのアクセスの受信に応答して、前記１つまたはそれを上回る第２のコンテンツを前記１つまたはそれを上回る他のデバイスに利用不可能であるものとしてタグ付けするステップと、
前記１つまたはそれを上回る第２のコンテンツが前記第１のデバイスにおいて視聴されたことを判定するステップと、
前記１つまたはそれを上回る第２のコンテンツが前記第１のデバイスにおいて視聴されたことの判定に応答して、前記第１のデバイスにおいて前記１つまたはそれを上回る第２のコンテンツへのアクセスを排除し、前記１つまたはそれを上回る第２のコンテンツを前記１つまたはそれを上回る他のデバイスに利用可能であるものとしてタグ付けするステップと、
を含む、方法。
（項目５２）
閉鎖環境内の複数のユーザがメディアを共有することを可能にするための方法であって、
第１のユーザ機器から、閉鎖環境のネットワーク上に確立されたグループに参加するための第１の要求を受信するステップであって、前記グループは、複数のユーザ機器を前記閉鎖環境内に備える、ステップと、
前記第１の要求の受信に応答して、前記複数のユーザ機器の第２のユーザ機器上に記憶されるメディアアセットへのアクセスを前記第１のユーザ機器に提供するステップと、
前記第１のユーザ機器から、前記メディアアセットを視聴するための第２の要求を受信するステップと、
前記メディアアセットが前記第１のユーザ機器に利用可能であるかどうかを判定するステップと、
前記メディアアセットが前記第１のユーザ機器に利用可能であるかどうかの判定に応答して、前記メディアアセットを前記第２のユーザ機器から前記第１のユーザ機器の記憶装置に転送させるステップと、
前記グループの終了が差し迫っていることを示す条件を監視するステップと、
前記監視の間、前記グループの終了が差し迫っていることを示す条件の検出に応答して、前記メディアアセットを前記第１のユーザ機器の記憶装置から前記第２のユーザ機器の記憶装置に転送させるステップと、
を含む、方法。
（項目５３）
前記監視の間、前記グループの終了が差し迫っていることを示す条件を検出するステップは、
飛行機での移動中、高度がネットワーク接続が自動的に断絶される場所に到達しそうであることを検出することと、
飛行機での移動中、前記第１のユーザ機器が含有される飛行機が着陸しそうであることを検出することと、
のうちの少なくとも１つを検出するステップを含む、項目５２に記載の方法。
（項目５４）
前記メディアアセットを前記第１のユーザ機器の記憶装置から前記第２のユーザ機器の記憶装置に転送させるステップは、前記検出が生じると、コマンドをユーザから受信せずに、前記転送を自動的にトリガするステップを含む、項目５２に記載の方法。
（項目５５）
前記監視の間、前記グループの終了が差し迫っていることを示す条件の検出に応答して、前記メディアアセットを前記第１のユーザ機器の記憶装置から前記第２のユーザ機器の記憶装置に転送させることに先立って、前記第１のユーザ機器上での表示のために、前記メディアアセットが転送されようとしていることを示すアラートを生成するステップ
をさらに含む、項目５４に記載の方法。
（項目５６）
前記グループは、
前記第１のユーザ機器において、前記インターネットがアクセス可能ではないことを検出するステップと、
前記第１のユーザ機器において、ネットワークホットスポットを確立するステップと、
前記ネットワークホットスポットの可用性を前記第１のユーザ機器のブロードキャスト範囲内のデバイスにブロードキャストするステップと、
前記第２のユーザ機器から、前記ネットワークホットスポットにアクセスし、前記第２のユーザ機器上に記憶されるメディアアセットを前記ネットワークホットスポットにアクセスする他のユーザ機器と共有するための要求を受信するステップと、
前記ネットワークホットスポットへのアクセスを前記第２のユーザ機器に与えるステップと、
によって確立される、項目５２に記載の方法。
（項目５７）
前記第１のユーザ機器のユーザのユーザプロファイルにアクセスするステップと、
前記ユーザプロファイルのデータに基づいて、前記ユーザの選好を判定するステップと、
前記複数のメディアアセット識別子の各メディアアセット識別子に対応する各メディアアセットと関連付けられたメタデータと前記選好とを比較するステップと、
前記比較に基づいて、前記複数のメディアアセット識別子をランク付けするステップと、
表示のために、前記ランク付けに基づいて、前記複数のメディアアセット識別子を生成するステップと、
をさらに含む、項目５２に記載の方法。
（項目５８）
前記メディアアセットが前記第１のユーザ機器に利用可能であるかどうかを判定するステップは、
前記メディアアセットが現在前記第２のユーザ機器に記憶されているかどうかを判定するステップと、
前記メディアアセットが現在前記第２のユーザ機器に記憶されていることの判定に応答して、前記メディアアセットが現在前記第２のユーザ機器において再生されているかどうかを判定するステップと、
前記メディアアセットが現在前記第２のユーザ機器において再生されていないことの判定に応答して、前記メディアアセットが前記第１のユーザ機器に利用可能であることを判定するステップと、
を含む、項目５２に記載の方法。
（項目５９）
前記第２のユーザ機器のユーザまたは前記第３のユーザ機器のユーザが、前記第１のユーザ機器のユーザが前記メディアアセットを完全に再生することを可能にするよりも以前の時間に、前記メディアアセットを再生のために予約しているかどうかを判定するステップと、
前記第２のユーザ機器のユーザまたは前記第３のユーザ機器のユーザのいずれも、前記第１のユーザ機器のユーザが前記メディアアセットを完全に再生することを可能にするよりも以前の時間に、前記メディアアセットを再生のために予約していないことの判定に応答して、前記メディアアセットが前記第１のユーザ機器に利用可能であることを判定するステップと、
をさらに含む、項目５２に記載の方法。
（項目６０）
前記第１のユーザ機器の記憶装置が前記メディアアセットを記憶するために十分な容量を有していないことを判定するステップと、
前記第２のユーザ機器が前記第１のユーザ機器の記憶装置内に記憶される異なるメディアアセットを記憶するための容量を有するかどうかを判定するステップと、
前記第２のユーザ機器が前記異なるメディアアセットを記憶するための容量を有することの判定に応答して、前記メディアアセットが前記第２のユーザ機器から前記第１のユーザ機器の記憶装置に転送されることに先立って、前記異なるメディアアセットを前記第１のユーザ機器から前記第２のユーザ機器に転送させるステップと、
をさらに含む、項目５２に記載の方法。
（項目６１）
前記メディアアセットが前記第１のユーザ機器に利用可能ではないことを判定するステップと、
前記メディアアセットが前記第１のユーザ機器に利用可能ではないことの判定に応答して、前記メディアアセットが前記第１のユーザ機器に利用可能になるであろう時間を判定するステップと、
表示のために、前記時間において前記第１のユーザ機器のための前記メディアアセットへのアクセスを予約するためのオプションを生成するステップと、
をさらに含む、項目５２に記載の方法。
（項目６２）
閉鎖環境内の複数のユーザがメディアを共有することを可能にするためのシステムであって、
通信回路と、
制御回路であって、
前記通信回路を使用して、第１のユーザ機器から、閉鎖環境のネットワーク上に確立されたグループに参加するための第１の要求を受信することであって、前記グループは、複数のユーザ機器を前記閉鎖環境内に備える、ことと、
前記第１の要求の受信に応答して、前記複数のユーザ機器の第２のユーザ機器上に記憶されるメディアアセットへのアクセスを前記第１のユーザ機器に提供することと、
前記通信回路を使用して、前記第１のユーザ機器から、前記メディアアセットを視聴するための第２の要求を受信することと、
前記メディアアセットが前記第１のユーザ機器に利用可能であるかどうかを判定することと、
前記メディアアセットが前記第１のユーザ機器に利用可能であるかどうかとの判定に応答して、前記メディアアセットを前記第２のユーザ機器から前記第１のユーザ機器の記憶装置に転送させることと、
前記グループの終了が差し迫っていることを示す条件を監視することと、
前記監視の間、前記グループの終了が差し迫っていることを示す条件の検出に応答して、前記メディアアセットを前記第１のユーザ機器の記憶装置から前記第２のユーザ機器の記憶装置に転送させることと
を行うように構成される、制御回路と、
を備える、システム。
（項目６３）
前記制御回路はさらに、前記監視の間、前記グループの終了が差し迫っていることを示す条件を検出するとき、
飛行機での移動中、高度がネットワーク接続が自動的に断絶される場所に到達しそうであることを検出することと、
飛行機での移動中、前記第１のユーザ機器が含有される飛行機が着陸しそうであることを検出することと、
のうちの少なくとも１つを行うように構成される、項目６２に記載のシステム。
（項目６４）
前記制御回路はさらに、前記メディアアセットを前記第１のユーザ機器の記憶装置から前記第２のユーザ機器の記憶装置に転送させるとき、前記検出が生じると、コマンドをユーザから受信せずに、前記転送を自動的にトリガするように構成される、項目６２に記載のシステム。
（項目６５）
前記制御回路はさらに、
前記監視の間、前記グループの終了が差し迫っていることを示す条件の検出に応答して、前記メディアアセットを前記第１のユーザ機器の記憶装置から前記第２のユーザ機器の記憶装置に転送させることに先立って、前記第１のユーザ機器上での表示のために、前記メディアアセットが転送されようとしていることを示すアラートを生成するように構成される、
項目６４に記載のシステム。
（項目６６）
制御回路は、
前記第１のユーザ機器において、前記インターネットがアクセス可能ではないことを検出することと、
前記第１のユーザ機器において、ネットワークホットスポットを確立することと、
前記ネットワークホットスポットの可用性を前記第１のユーザ機器のブロードキャスト範囲内のデバイスにブロードキャストすることと、
前記第２のユーザ機器から、前記ネットワークホットスポットにアクセスし、前記第２のユーザ機器上に記憶されるメディアアセットを前記ネットワークホットスポットにアクセスする他のユーザ機器と共有するための要求を受信することと、
前記ネットワークホットスポットへのアクセスを前記第２のユーザ機器に与えることと、
によって、前記グループを確立するように構成される、項目６２に記載の方法。
（項目６７）
前記制御回路はさらに、
前記第１のユーザ機器のユーザのユーザプロファイルにアクセスすることと、
前記ユーザプロファイルのデータに基づいて、前記ユーザの選好を判定することと、
前記複数のメディアアセット識別子の各メディアアセット識別子に対応する各メディアアセットと関連付けられたメタデータと前記選好とを比較することと、
前記比較に基づいて、前記複数のメディアアセット識別子をランク付けすることと、
表示のために、前記ランク付けに基づいて、前記複数のメディアアセット識別子を生成することと
を行うように構成される、項目６２に記載のシステム。
（項目６８）
前記制御回路はさらに、前記メディアアセットが前記第１のユーザ機器に利用可能であるかどうかを判定するとき、
前記メディアアセットが現在前記第２のユーザ機器に記憶されているかどうかを判定することと、
前記メディアアセットが現在前記第２のユーザ機器に記憶されていることの判定に応答して、前記メディアアセットが現在前記第２のユーザ機器において再生されているかどうかを判定することと、
前記メディアアセットが現在前記第２のユーザ機器において再生されていないことの判定に応答して、前記メディアアセットが前記第１のユーザ機器に利用可能であることを判定することと
を行うように構成される、項目６２に記載のシステム。
（項目６９）
前記制御回路はさらに、
前記第２のユーザ機器のユーザまたは前記第３のユーザ機器のユーザが、前記第１のユーザ機器のユーザが前記メディアアセットを完全に再生することを可能にするよりも以前の時間に、前記メディアアセットを再生のために予約しているかどうかを判定することと、
前記第２のユーザ機器のユーザまたは前記第３のユーザ機器のユーザのいずれも、前記第１のユーザ機器のユーザが前記メディアアセットを完全に再生することを可能にするよりも以前の時間に、前記メディアアセットを再生のために予約していないことの判定に応答して、前記メディアアセットが前記第１のユーザ機器に利用可能であることを判定することと
を行うように構成される、項目６２に記載のシステム。
（項目７０）
前記制御回路はさらに、
前記第１のユーザ機器の記憶装置が前記メディアアセットを記憶するために十分な容量を有していないことを判定することと、
前記第２のユーザ機器が前記第１のユーザ機器の記憶装置内に記憶される異なるメディアアセットを記憶するための容量を有するかどうかを判定することと、
前記第２のユーザ機器が前記異なるメディアアセットを記憶するための容量を有することの判定に応答して、前記メディアアセットが前記第２のユーザ機器から前記第１のユーザ機器の記憶装置に転送されることに先立って、前記異なるメディアアセットを前記第１のユーザ機器から前記第２のユーザ機器に転送させることと
を行うように構成される、項目６２に記載のシステム。
（項目７１）
前記制御回路はさらに、
前記メディアアセットが前記第１のユーザ機器に利用可能ではないことを判定することと、
前記メディアアセットが前記第１のユーザ機器に利用可能ではないことの判定に応答して、前記メディアアセットが前記第１のユーザ機器に利用可能になるであろう時間を判定することと、
表示のために、前記時間において前記第１のユーザ機器のための前記メディアアセットへのアクセスを予約するためのオプションを生成することと
を行うように構成される、項目６２に記載のシステム。
（項目７２）
閉鎖環境内の複数のユーザがメディアを共有することを可能にするためのシステムであって、
第１のユーザ機器から、閉鎖環境のネットワーク上に確立されたグループに参加するための第１の要求を受信するための手段であって、前記グループは、複数のユーザ機器を前記閉鎖環境内に備える、手段と、
前記第１の要求の受信に応答して、前記複数のユーザ機器の第２のユーザ機器上に記憶されるメディアアセットへのアクセスを前記第１のユーザ機器に提供するための手段と、
前記第１のユーザ機器から、前記メディアアセットを視聴するための第２の要求を受信するための手段と、
前記メディアアセットが前記第１のユーザ機器に利用可能であるかどうかを判定するための手段と、
前記メディアアセットが前記第１のユーザ機器に利用可能であるかどうかを判定することの判定に応答して、前記メディアアセットを前記第２のユーザ機器から前記第１のユーザ機器の記憶装置に転送させるための手段と、
前記グループの終了が差し迫っていることを示す条件を監視するための手段と、
前記監視の間、前記グループの終了が差し迫っていることを示す条件の検出に応答して、前記メディアアセットを前記第１のユーザ機器の記憶装置から前記第２のユーザ機器の記憶装置に転送させるための手段と、
を備える、システム。
（項目７３）
前記監視の間、前記グループの終了が差し迫っていることを示す条件を検出するための手段は、
飛行機での移動中、高度がネットワーク接続が自動的に断絶される場所に到達しそうであることを検出することと、
飛行機での移動中、前記第１のユーザ機器が含有される飛行機が着陸しそうであることを検出することと、
のうちの少なくとも１つを行うための手段を含む、項目７２に記載のシステム。
（項目７４）
前記メディアアセットを前記第１のユーザ機器の記憶装置から前記第２のユーザ機器の記憶装置に転送させるための手段は、前記検出が生じると、コマンドをユーザから受信せずに、前記転送を自動的にトリガするための手段を含む、項目７２に記載のシステム。
（項目７５）
前記監視の間、前記グループの終了が差し迫っていることを示す条件の検出に応答して、前記メディアアセットを前記第１のユーザ機器の記憶装置から前記第２のユーザ機器の記憶装置に転送させることに先立って、前記第１のユーザ機器上での表示のために、前記メディアアセットが転送されようとしていることを示すアラートを生成するための手段をさらに備える、項目７４に記載のシステム。
（項目７６）
前記グループは、
前記第１のユーザ機器において、前記インターネットがアクセス可能ではないことを検出するための手段と、
前記第１のユーザ機器において、ネットワークホットスポットを確立するための手段と、
前記ネットワークホットスポットの可用性を前記第１のユーザ機器のブロードキャスト範囲内のデバイスにブロードキャストするための手段と、
前記第２のユーザ機器から、前記ネットワークホットスポットにアクセスし、前記第２のユーザ機器上に記憶されるメディアアセットを前記ネットワークホットスポットにアクセスする他のユーザ機器と共有するための要求を受信するための手段と、
前記ネットワークホットスポットへのアクセスを前記第２のユーザ機器に与えるための手段と、
を使用して確立される、項目７２に記載のシステム。
（項目７７）
前記第１のユーザ機器のユーザのユーザプロファイルにアクセスするための手段と、
前記ユーザプロファイルのデータに基づいて、前記ユーザの選好を判定するための手段と、
前記複数のメディアアセット識別子の各メディアアセット識別子に対応する各メディアアセットと関連付けられたメタデータと前記選好とを比較するための手段と、
前記比較に基づいて、前記複数のメディアアセット識別子をランク付けするための手段と、
表示のために、前記ランク付けに基づいて、前記複数のメディアアセット識別子を生成するための手段と、
をさらに備える、項目７２に記載のシステム。
（項目７８）
前記メディアアセットが前記第１のユーザ機器に利用可能であるかどうかを判定するための手段は、
前記メディアアセットが現在前記第２のユーザ機器に記憶されているかどうかを判定するための手段と、
前記メディアアセットが現在前記第２のユーザ機器に記憶されていることの判定に応答して、前記メディアアセットが現在前記第２のユーザ機器において再生されているかどうかを判定するための手段と、
前記メディアアセットが現在前記第２のユーザ機器において再生されていないことの判定に応答して、前記メディアアセットが前記第１のユーザ機器に利用可能であることを判定するための手段と、
を含む、項目７２に記載のシステム。
（項目７９）
前記第２のユーザ機器のユーザまたは前記第３のユーザ機器のユーザが、前記第１のユーザ機器のユーザが前記メディアアセットを完全に再生することを可能にするよりも以前の時間に、前記メディアアセットを再生のために予約しているかどうかを判定するための手段と、
前記第２のユーザ機器のユーザまたは前記第３のユーザ機器のユーザのいずれも、前記第１のユーザ機器のユーザが前記メディアアセットを完全に再生することを可能にするよりも以前の時間に、前記メディアアセットを再生のために予約していないことの判定に応答して、前記メディアアセットが前記第１のユーザ機器に利用可能であることを判定するための手段と、
をさらに備える、項目７２に記載のシステム。
（項目８０）
前記第１のユーザ機器の記憶装置が前記メディアアセットを記憶するために十分な容量を有していないことを判定するための手段と、
前記第２のユーザ機器が前記第１のユーザ機器の記憶装置内に記憶される異なるメディアアセットを記憶するための容量を有するかどうかを判定するための手段と、
前記第２のユーザ機器が前記異なるメディアアセットを記憶するための容量を有することの判定に応答して、前記メディアアセットが前記第２のユーザ機器から前記第１のユーザ機器の記憶装置に転送されることに先立って、前記異なるメディアアセットを前記第１のユーザ機器から前記第２のユーザ機器に転送させるための手段と、
をさらに備える、項目７２に記載のシステム。
（項目８１）
前記メディアアセットが前記第１のユーザ機器に利用可能ではないことを判定するための手段と、
前記メディアアセットが前記第１のユーザ機器に利用可能ではないことの判定に応答して、前記メディアアセットが前記第１のユーザ機器に利用可能になるであろう時間を判定するための手段と、
表示のために、前記時間において前記第１のユーザ機器のための前記メディアアセットへのアクセスを予約するためのオプションを生成するための手段と、
をさらに備える、項目７２に記載のシステム。
（項目８２）
閉鎖環境内の複数のユーザがメディアを共有することを可能にするためのその上に符号化された命令を伴うメモリを備える、非一過性機械可読媒体であって、
前記通信回路を使用して、第１のユーザ機器から、閉鎖環境のネットワーク上に確立されたグループに参加するための第１の要求を受信するための命令であって、前記グループは、複数のユーザ機器を前記閉鎖環境内に備える、命令と、
前記第１の要求の受信に応答して、前記複数のユーザ機器の第２のユーザ機器上に記憶されるメディアアセットへのアクセスを前記第１のユーザ機器に提供するための命令と、
前記通信回路を使用して、前記第１のユーザ機器から、前記メディアアセットを視聴するための第２の要求を受信するための命令と、
前記メディアアセットが前記第１のユーザ機器に利用可能であるかどうかを判定するための命令と、
前記メディアアセットが前記第１のユーザ機器に利用可能であるかどうかを判定することの判定に応答して、前記メディアアセットを前記第２のユーザ機器から前記第１のユーザ機器の記憶装置に転送させるための命令と、
前記グループの終了が差し迫っていることを示す条件を監視するための命令と、
前記監視の間、前記グループの終了が差し迫っていることを示す条件の検出に応答して、前記メディアアセットを前記第１のユーザ機器の記憶装置から前記第２のユーザ機器の記憶装置に転送させるための命令と、
を備える、非一過性機械可読媒体。
（項目８３）
前記監視の間、前記グループの終了が差し迫っていることを示す条件を検出するための命令は、
飛行機での移動中、高度がネットワーク接続が自動的に断絶される場所に到達しそうであることを検出することと、
飛行機での移動中、前記第１のユーザ機器が含有される飛行機が着陸しそうであることを検出することと、
のうちの少なくとも１つを行うための命令を備える、項目８２に記載の非一過性機械可読媒体。
（項目８４）
前記メディアアセットを前記第１のユーザ機器の記憶装置から前記第２のユーザ機器の記憶装置に転送させるための命令は、前記検出が生じると、コマンドをユーザから受信せずに、前記転送を自動的にトリガするための命令を備える、項目８２に記載の非一過性機械可読媒体。
（項目８５）
前記命令はさらに、
前記監視の間、前記グループの終了が差し迫っていることを示す条件の検出に応答して、前記メディアアセットを前記第１のユーザ機器の記憶装置から前記第２のユーザ機器の記憶装置に転送させることに先立って、前記第１のユーザ機器上での表示のために、前記メディアアセットが転送されようとしていることを示すアラートを生成するための命令を備える、
項目８４に記載の非一過性機械可読媒体。
（項目８６）
前記第１のユーザ機器において、前記インターネットがアクセス可能ではないことを検出することと、
前記第１のユーザ機器において、ネットワークホットスポットを確立することと、
前記ネットワークホットスポットの可用性を前記第１のユーザ機器のブロードキャスト範囲内のデバイスにブロードキャストすることと、
前記第２のユーザ機器から、前記ネットワークホットスポットにアクセスし、前記第２のユーザ機器上に記憶されるメディアアセットを前記ネットワークホットスポットにアクセスする他のユーザ機器と共有するための要求を受信することと、
前記ネットワークホットスポットへのアクセスを前記第２のユーザ機器に与えることと、
によって、前記グループを確立するための命令をさらに備える、項目８２に記載の非一過性機械可読媒体。
（項目８７）
前記命令はさらに、
前記第１のユーザ機器のユーザのユーザプロファイルにアクセスするための命令と、
前記ユーザプロファイルのデータに基づいて、前記ユーザの選好を判定するための命令と、
前記複数のメディアアセット識別子の各メディアアセット識別子に対応する各メディアアセットと関連付けられたメタデータと前記選好とを比較するための命令と、
前記比較に基づいて、前記複数のメディアアセット識別子をランク付けするための命令と、
表示のために、前記ランク付けに基づいて、前記複数のメディアアセット識別子を生成するための命令と、
を備える、項目８２に記載の非一過性機械可読媒体。
（項目８８）
前記メディアアセットが前記第１のユーザ機器に利用可能であるかどうかを判定するための命令はさらに、
前記メディアアセットが現在前記第２のユーザ機器に記憶されているかどうかを判定するための命令と、
前記メディアアセットが現在前記第２のユーザ機器に記憶されていることの判定に応答して、前記メディアアセットが現在前記第２のユーザ機器において再生されているかどうかを判定するための命令と、
前記メディアアセットが現在前記第２のユーザ機器において再生されていないことの判定に応答して、前記メディアアセットが前記第１のユーザ機器に利用可能であることを判定するための命令と、
を備える、項目８２に記載の非一過性機械可読媒体。
（項目８９）
前記命令はさらに、
前記第２のユーザ機器のユーザまたは前記第３のユーザ機器のユーザが、前記第１のユーザ機器のユーザが前記メディアアセットを完全に再生することを可能にするよりも以前の時間に、前記メディアアセットを再生のために予約しているかどうかを判定するための命令と、
前記第２のユーザ機器のユーザまたは前記第３のユーザ機器のユーザのいずれも、前記第１のユーザ機器のユーザが前記メディアアセットを完全に再生することを可能にするよりも以前の時間に、前記メディアアセットを再生のために予約していないことの判定に応答して、前記メディアアセットが前記第１のユーザ機器に利用可能であることを判定するための命令と、
を備える、項目８２に記載の非一過性機械可読媒体。
（項目９０）
前記命令はさらに、
前記第１のユーザ機器の記憶装置が前記メディアアセットを記憶するために十分な容量を有していないことを判定するための命令と、
前記第２のユーザ機器が前記第１のユーザ機器の記憶装置内に記憶される異なるメディアアセットを記憶するための容量を有するかどうかを判定するための命令と、
前記第２のユーザ機器が前記異なるメディアアセットを記憶するための容量を有することの判定に応答して、前記メディアアセットが前記第２のユーザ機器から前記第１のユーザ機器の記憶装置に転送されることに先立って、前記異なるメディアアセットを前記第１のユーザ機器から前記第２のユーザ機器に転送させるための命令と、
を備える、項目８２に記載の非一過性機械可読媒体。
（項目９１）
前記命令はさらに、
前記メディアアセットが前記第１のユーザ機器に利用可能ではないことを判定するための命令と、
前記メディアアセットが前記第１のユーザ機器に利用可能ではないことの判定に応答して、前記メディアアセットが前記第１のユーザ機器に利用可能になるであろう時間を判定するための命令と、
表示のために、前記時間において前記第１のユーザ機器のための前記メディアアセットへのアクセスを予約するためのオプションを生成するための命令と、
を備える、項目８２に記載の非一過性機械可読媒体。
（項目９２）
方法であって、
第１のユーザ機器から、第２のユーザ機器に記憶されているメディアアセットを視聴するための要求を受信するステップであって、前記第１のユーザ機器および前記第２のユーザ機器は、閉鎖環境内で接続するグループの一員である、ステップと、
前記メディアアセットを前記第２のユーザ機器から前記第１のユーザ機器の記憶装置に転送させるステップと、
前記グループの終了が差し迫っていることを示す条件を監視するステップと、
前記監視の間、前記グループの終了が差し迫っていることを示す条件の検出に応答して、前記メディアアセットを前記第１のユーザ機器の記憶装置から前記第２のユーザ機器の記憶装置に転送させるステップと、
を含む、方法。
（項目９３）
前記監視の間、前記グループの終了が差し迫っていることを示す条件を検出するステップは、
飛行機での移動中、高度がネットワーク接続が自動的に断絶される場所に到達しそうであることを検出することと、
飛行機での移動中、前記第１のユーザ機器が含有される飛行機が着陸しそうであることを検出することと、
のうちの少なくとも１つを検出するステップを含む、項目９２に記載の方法。
（項目９４）
前記メディアアセットを前記第１のユーザ機器の記憶装置から前記第２のユーザ機器の記憶装置に転送させるステップは、前記検出が生じると、コマンドをユーザから受信せずに、前記転送を自動的にトリガするステップを含む、項目９２−９３のいずれかに記載の方法。
（項目９５）
前記監視の間、前記グループの終了が差し迫っていることを示す条件の検出に応答して、前記メディアアセットを前記第１のユーザ機器の記憶装置から前記第２のユーザ機器の記憶装置に転送させることに先立って、前記第１のユーザ機器上での表示のために、前記メディアアセットが転送されようとしていることを示すアラートを生成するステップをさらに含む、項目９４に記載の方法。
（項目９６）
前記グループは、
前記第１のユーザ機器において、前記インターネットがアクセス可能ではないことを検出するステップと、
前記第１のユーザ機器において、ネットワークホットスポットを確立するステップと、
前記ネットワークホットスポットの可用性を前記第１のユーザ機器のブロードキャスト範囲内のデバイスにブロードキャストするステップと、
前記第２のユーザ機器から、前記ネットワークホットスポットにアクセスし、前記第２のユーザ機器上に記憶されるメディアアセットを前記ネットワークホットスポットにアクセスする他のユーザ機器と共有するための要求を受信するステップと、
前記ネットワークホットスポットへのアクセスを前記第２のユーザ機器に与えるステップと、
によって確立される、項目９２−９５のいずれかに記載の方法。
（項目９７）
前記第１のユーザ機器のユーザのユーザプロファイルにアクセスするステップと、
前記ユーザプロファイルのデータに基づいて、前記ユーザの選好を判定するステップと、
前記複数のメディアアセット識別子の各メディアアセット識別子に対応する各メディアアセットと関連付けられたメタデータと前記選好とを比較するステップと、
前記比較に基づいて、前記複数のメディアアセット識別子をランク付けするステップと、
表示のために、前記ランク付けに基づいて、前記複数のメディアアセット識別子を生成するステップと、
をさらに含む、項目９２−９６のいずれかに記載の方法。
（項目９８）
前記方法はさらに、前記メディアアセットが前記第１のユーザ機器に利用可能であるかどうかを判定するステップを含み、前記メディアアセットが前記第１のユーザ機器に利用可能であるかどうかを判定するステップは、
前記メディアアセットが現在前記第２のユーザ機器に記憶されているかどうかを判定するステップと、
前記メディアアセットが現在前記第２のユーザ機器に記憶されていることの判定に応答して、前記メディアアセットが現在前記第２のユーザ機器において再生されているかどうかを判定するステップと、
前記メディアアセットが現在前記第２のユーザ機器において再生されていないことの判定に応答して、前記メディアアセットが前記第１のユーザ機器に利用可能であることを判定するステップと、
を含む、項目９２−９７のいずれかに記載の方法。
（項目９９）
前記第２のユーザ機器のユーザまたは前記第３のユーザ機器のユーザが、前記第１のユーザ機器のユーザが前記メディアアセットを完全に再生することを可能にするよりも以前の時間に、前記メディアアセットを再生のために予約しているかどうかを判定するステップと、
前記第２のユーザ機器のユーザまたは前記第３のユーザ機器のユーザのいずれも、前記第１のユーザ機器のユーザが前記メディアアセットを完全に再生することを可能にするよりも以前の時間に、前記メディアアセットを再生のために予約していないことの判定に応答して、前記メディアアセットが前記第１のユーザ機器に利用可能であることを判定するステップと、
をさらに含む、項目９８に記載の方法。
（項目１００）
前記第１のユーザ機器の記憶装置が前記メディアアセットを記憶するために十分な容量を有していないことを判定するステップと、
前記第２のユーザ機器が前記第１のユーザ機器の記憶装置内に記憶される異なるメディアアセットを記憶するための容量を有するかどうかを判定するステップと、
前記第２のユーザ機器が前記異なるメディアアセットを記憶するための容量を有することの判定に応答して、前記メディアアセットが前記第２のユーザ機器から前記第１のユーザ機器の記憶装置に転送されることに先立って、前記異なるメディアアセットを前記第１のユーザ機器から前記第２のユーザ機器に転送させるステップと、
をさらに含む、項目９２−９９のいずれかに記載の方法。
（項目１０１）
前記メディアアセットが前記第１のユーザ機器に利用可能ではないことを判定するステップと、
前記メディアアセットが前記第１のユーザ機器に利用可能ではないことの判定に応答して、前記メディアアセットが前記第１のユーザ機器に利用可能になるであろう時間を判定するステップと、
表示のために、前記時間において前記第１のユーザ機器のための前記メディアアセットへのアクセスを予約するためのオプションを生成するステップと、
をさらに含む、項目９２−１００のいずれかに記載の方法。
（項目１０２）
メディアコンテンツが１つまたはそれを上回る接続されたデバイスを有する閉鎖環境内で共有されることを可能にするための方法であって、
第１のデバイス上における表示のために、（１）前記第１のデバイス上に記憶される視聴のために利用可能な１つまたはそれを上回る第１のコンテンツと、（２）前記第１のデバイスに接続される１つまたはそれを上回る他のデバイス上に記憶される視聴のために利用可能な１つまたはそれを上回る第２のコンテンツとを生成するステップと、
前記第１のデバイスによって、前記１つまたはそれを上回る第２のコンテンツへのアクセスを要求するステップと、
前記第１のデバイスにおいて、前記要求される１つまたはそれを上回る第２のコンテンツへのアクセスを受信するステップと、
前記１つまたはそれを上回る他のデバイスへの接続の終了が差し迫っていることの判定に応じて、前記第１のデバイスにおける前記要求される１つまたはそれを上回る第２のコンテンツへのアクセスを排除するステップと、
を含む、方法。